(57)【要約】【課題】消費者は必要な商品情報を商品購入時にも容易に参照可能であり、販売店は収益の向上に寄与する情報提供方法及びシステムを提供する。【解決手段】商品情報を提供する情報管理サーバ装置と、ＩＣカードリーダライタを備えたユーザ端末装置と、商品の販売店に配置された、バーコードリーダ、ネットワークとの通信装置、表示装置、及び情報処理装置を備えたショッピングカートとを有するシステムを用いてユーザに所望の商品情報を提供するための情報提供方法であって、ユーザ端末装置によりネットワークを介してユーザが購入を希望する商品のバーコード情報及び商品名含む登録情報を情報管理サーバ装置から取得し、その登録情報及び所定の口座から引き落した電子マネーをＩＣカードに登録し、ユーザが商品の購入時、読み取ったバーコード情報に基づいてネットワークを介して対応する商品の商品情報を情報管理サーバ装置から取得して表示する。【選択図】　図３
2004013670.tif 000002
【特許請求の範囲】
【請求項１】
ネットワークを介して、商品に貼付されるバーコード情報、及び前記商品に関する情報である商品情報を提供する情報管理サーバ装置と、
ＩＣカードに情報を登録するためのＩＣカードリーダライタが接続された、前記バーコード情報及び前記商品情報の受け手であるユーザが使用するユーザ端末装置と、
前記ユーザが購入する商品を販売する販売店に配置された、前記バーコード情報を読み取るためのバーコードリーダ、前記ネットワークと接続するための通信装置、情報を表示するための表示装置、及び情報処理装置を備えたショッピングカートと、
を有するシステムを用いて前記ユーザに所望の商品情報を提供するための情報提供方法であって、
前記ユーザ端末装置により、前記ネットワークを介して、前記ユーザが購入を希望する商品に貼付されるバーコード情報及び該商品名含む登録情報を前記情報管理サーバ装置から取得し、
取得した前記登録情報、及び所定の口座からの引き落しを指示された電子マネーをＩＣカードに登録し、
前記ユーザが商品の購入時、前記バーコードリーダにより該商品に貼付された前記バーコード情報が読み取られると、該バーコード情報に基づいて前記ネットワークを介して該商品の商品情報を前記情報管理サーバ装置から取得し、
取得した該商品情報を前記表示装置に表示する情報提供方法。
【請求項２】
ローカルネットワークを介して前記ショッピングカートから前記商品に貼付された前記バーコード情報を受信すると、該バーコード情報に基づいて該商品の商品情報を検索し、該商品情報を該ショッピングカートに返送する請求項１記載の情報提供方法。
【請求項３】
前記バーコード情報を読み取った商品の購入指示を受信すると、予め前記ユーザが前記ＩＣカードに登録した電子マネーにより電子決済を行う請求項１または２記載の情報提供方法。
【請求項４】
前記ショッピングカートから受信する前記電子決済の結果である決済情報を登録し、
前記ユーザの商品購入終了時に、前記決済情報を確認のために表示する請求項３記載の情報提供方法。
【請求項５】
前記ショッピングカートで前記商品情報を受信すると、該商品情報の中から、予め前記ユーザが前記ＩＣカードに登録した前記登録情報に基づき所定の項目を選択して表示する請求項１乃至４のいずれか１項記載の情報提供方法。
【請求項６】
ネットワークを介して、商品に貼付されるバーコード情報、及び商品に関する情報である商品情報を提供する情報管理サーバ装置と、
購入を希望する商品の前記バーコード情報及び商品名を含む登録情報、並びに所定の口座から引き落とした電子マネーをＩＣカードに登録するためのＩＣカードリーダライタが接続された、前記バーコード情報の受け手であるユーザが使用するユーザ端末装置と、
前記ユーザが購入する商品を販売する販売店に配置された、商品に貼付された前記バーコード情報を読み取り、該バーコード情報に基づいて前記ネットワークを介して前記情報管理サーバ装置から該商品の商品情報を取得して表示するショッピングカートと、
を有する情報提供システム。
【請求項７】
ローカルネットワークを介して前記商品に貼付された前記バーコード情報を前記ショッピングカートから受信すると、該バーコード情報に基づいて該商品の商品情報を該ショッピングカートに返送する、前記販売店が管理する商品管理サーバ装置を有する請求項６記載の情報提供システム。
【請求項８】
前記ショッピングカートは、
前記バーコード情報を読み取った商品の購入指示を受信すると、予め前記ユーザが前記ＩＣカードに登録した電子マネーにより電子決済を行う請求項６または７記載の情報提供システム。
【請求項９】
前記ショッピングカートから前記電子決済した結果である決済情報を受信して登録する、前記販売店が管理する決済サーバ装置を有する請求項８記載の情報提供システム。
【請求項１０】
前記ショッピングカートは、
前記商品情報を受信すると、該商品情報の中から、予め前記ユーザが前記ＩＣカードに登録した前記登録情報に基づき所定の項目を選択して表示する請求項６乃至９のいずれか１項記載の情報提供システム。
【発明の詳細な説明】
【０００１】
【発明の属する技術分野】
本発明は、インターネット等のネットワークを利用して商品情報を提供するための情報提供方法及びシステムに関する。
【０００２】
【従来の技術】
近年、情報通信技術の発達に伴ってインターネット等のネットワークを利用して様々な情報を取得できるようになってきている。
【０００３】
従来の情報提供システムでは、消費者がオンラインで情報を提供する情報提供者のＷｅｂサイトにネットワークを介してアクセスし、例えば、希望する商品やサービスの名称、価格、素材、品質等を検索することで、購入の意思決定に必要な商品情報を得ていた。
【０００４】
その際、消費者は、得られた商品情報から購入を決めた商品の商品名を記憶するか、商品情報を印刷あるいは手書きで記載したメモを持参することで、その商品を小売店やスーパーマーケット、あるいは百貨店等の販売店で購入するときに参照していた。
【０００５】
【発明が解決しようとする課題】
上述したように従来の情報提供システムでは、消費者は商品名を記憶するか商品情報が記載された紙を持参してスーパーマーケット等で商品を購入するため、例えば商品名を忘れたときや商品情報を記載した用紙を紛失した場合等に希望の商品が購入できない問題がある。
【０００６】
また、値段や素材、品質等が希望に合致していればブランド名（製造メーカ）や意匠等に拘らないような場合でも、ユーザは種々の製造メーカから商品情報を取得しなければならないため、購入する商品を選択するのに非常に手間がかかるという問題がある。
【０００７】
さらに、加工食品等では、素材や添加物の有無、あるいは産地等の情報が、生産者側で設定した項目や法律等で定められた項目しか表示されないため、アレルギー食材の有無や栄養価等を知りたい場合に、それらの情報を入手できないことがある。
【０００８】
一方、商品を販売するスーパーマーケット等の販売店は、例えば、自身が独自に製造・加工した商品（惣菜等の食品）や特売品等の情報を短時間で消費者に提供することが困難であるため、これらの商品が必ずしも集客力の向上に結びつかない問題がある。
【０００９】
本発明は上記したような従来の技術が有する問題点を解決するためになされたものであり、消費者は必要な商品情報を商品購入時にも容易に参照可能であり、販売店は収益の向上に寄与する情報提供方法及びシステムを提供することを目的とする。
【００１０】
【課題を解決するための手段】
上記目的を達成するため本発明の情報提供方法は、ネットワークを介して、商品に貼付されるバーコード情報、及び前記商品に関する情報である商品情報を提供する情報管理サーバ装置と、
ＩＣカードに情報を登録するためのＩＣカードリーダライタが接続された、前記バーコード情報及び前記商品情報の受け手であるユーザが使用するユーザ端末装置と、
前記ユーザが購入する商品を販売する販売店に配置された、前記バーコード情報を読み取るためのバーコードリーダ、前記ネットワークと接続するための通信装置、情報を表示するための表示装置、及び情報処理装置を備えたショッピングカートと、
を有するシステムを用いて前記ユーザに所望の商品情報を提供するための情報提供方法であって、
前記ユーザ端末装置により、前記ネットワークを介して、前記ユーザが購入を希望する商品に貼付されるバーコード情報及び該商品名含む登録情報を前記情報管理サーバ装置から取得し、
取得した前記登録情報、及び所定の口座からの引き落しを指示された電子マネーをＩＣカードに登録し、
前記ユーザが商品の購入時、前記バーコードリーダにより該商品に貼付された前記バーコード情報が読み取られると、該バーコード情報に基づいて前記ネットワークを介して該商品の商品情報を前記情報管理サーバ装置から取得し、
取得した該商品情報を前記表示装置に表示する方法である。
【００１１】
このとき、ローカルネットワークを介して前記ショッピングカートから前記商品に貼付された前記バーコード情報を受信すると、該バーコード情報に基づいて該商品の商品情報を検索し、該商品情報を該ショッピングカートに返送してもよく、
前記バーコード情報を読み取った商品の購入指示を受信すると、予め前記ユーザが前記ＩＣカードに登録した電子マネーにより電子決済を行ってもよい。
【００１２】
また、前記ショッピングカートから受信する前記電子決済の結果である決済情報を登録し、
前記ユーザの商品購入終了時に、前記決済情報を確認のために表示してもよく、
前記ショッピングカートで前記商品情報を受信すると、該商品情報の中から、予め前記ユーザが前記ＩＣカードに登録した前記登録情報に基づき所定の項目を選択して表示してもよい。
【００１３】
一方、本発明の情報提供システムは、ネットワークを介して、商品に貼付されるバーコード情報、及び商品に関する情報である商品情報を提供する情報管理サーバ装置と、
購入を希望する商品の前記バーコード情報及び商品名を含む登録情報、並びに所定の口座から引き落とした電子マネーをＩＣカードに登録するためのＩＣカードリーダライタが接続された、前記バーコード情報の受け手であるユーザが使用するユーザ端末装置と、
前記ユーザが購入する商品を販売する販売店に配置された、商品に貼付された前記バーコード情報を読み取り、該バーコード情報に基づいて前記ネットワークを介して前記情報管理サーバ装置から該商品の商品情報を取得して表示するショッピングカートと、
を有する構成である。
【００１４】
このとき、ローカルネットワークを介して前記商品に貼付された前記バーコード情報を前記ショッピングカートから受信すると、該バーコード情報に基づいて該商品の商品情報を該ショッピングカートに返送する、前記販売店が管理する商品管理サーバ装置を有していてもよく、
前記ショッピングカートは、
前記バーコード情報を読み取った商品の購入指示を受信すると、予め前記ユーザが前記ＩＣカードに登録した電子マネーにより電子決済を行ってもよい。
【００１５】
また、前記ショッピングカートから前記電子決済した結果である決済情報を受信して登録する、前記販売店が管理する決済サーバ装置を有していてもよく、
前記ショッピングカートは、
前記商品情報を受信すると、該商品情報の中から、予め前記ユーザが前記ＩＣカードに登録した前記登録情報に基づき所定の項目を選択して表示してもよい。
【００１６】
上記のような情報提供方法及びシステムでは、ショッピングカートにより読み取られたバーコード情報に基づいてネットワークを介して対応する商品情報を情報管理サーバ装置から取得し、取得した商品情報を表示することで、ユーザは、実際に商品を購入する前にその素材や品質を確認できる。
【００１７】
また、バーコード情報を読み取った商品の購入指示を受信すると、予めユーザがＩＣカードに登録した電子マネーにより電子決済を行い、さらに、電子決済の結果である決済情報を登録し、ユーザの商品購入終了時に、決済情報を確認のために表示することで、ユーザはキャッシュレスによる不安を解消できる。
【００１８】
さらに、ショッピングカートで商品情報を受信すると、該商品情報の中から、予めユーザがＩＣカードに登録した所定の項目を選択して表示することで、例えば、ショッピングカートに消費者本人のアレルギー食材の有無等が表示され、健康志向のユーザが安心して食材等を購入することが可能になる。
【００１９】
【発明の実施の形態】
次に本発明について図面を参照して説明する。
【００２０】
図１は本発明の情報提供システムの一構成例を示すブロック図であり、図２は図１に示した情報管理サーバ装置の一構成例を示すブロック図である。
【００２１】
図１に示すように、本発明の情報提供システムは、ユーザ（消費者）に提供する商品情報を管理する情報管理サーバ装置１と、商品を販売する販売店で取り扱う商品を管理する商品管理サーバ装置２と、ユーザが使用する端末装置であるユーザ端末装置４とを有し、情報管理サーバ装置１、商品管理サーバ装置２、及びユーザ端末装置４がインターネット等のネットワーク５を介してそれぞれ接続される構成である。
【００２２】
商品管理サーバ装置２には、ユーザが販売店で商品を購入した際に電子決済を行うための決済サーバ装置３と、販売店内で使用される複数のショッピングカート７と無線で情報を送受信するための送受信装置６とがＬＡＮ回線８を介して接続されている。
【００２３】
ユーザ端末装置４には、ユーザが所有するＩＣカード１１に対して情報の読み出し／書き込みを行うためのＩＣカードリーダライタ１０が接続される。
【００２４】
なお、図１に示した商品管理サーバ装置２と決済サーバ装置３とは別々に設ける必要はなく、例えば、商品管理サーバ装置２に両方の処理機能を持たせた構成であってもよく、逆に、商品管理サーバ装置２を、管理機能を有するサーバ装置と情報を蓄積するデータベースサーバ装置とで構成してもよい。同様に、情報管理サーバ装置１も管理機能を有するサーバ装置と情報を蓄積するデータベースサーバ装置とで構成してもよい。また、送受信装置６は、その通信能力に応じて複数台備えていてもよい。
【００２５】
情報管理サーバ装置１、商品管理サーバ装置２、及び決済サーバ装置３はワークステーション・サーバコンピュータ等の情報処理装置であり、ユーザ端末装置４はネットワーク５に接続可能な通信機能を備えた携帯端末やパーソナルコンピュータ等の情報処理装置である。情報管理サーバ装置１は、本発明の情報提供システムを管理するサービス提供会社、またはその会社に運営を委託された第三者によって管理される。
【００２６】
ユーザ端末装置４は、例えば、不図示のリモートアクセスサーバ装置にダイアルアップ接続することでネットワーク５に接続され、該ネットワーク５を介して情報管理サーバ装置１に接続される。
【００２７】
ショッピングカート７には、不図示の液晶表示装置、情報処理端末装置、バーコードリーダ（読み取り装置）、ＩＣカードリーダ、イヤホンジャック、電源（電池）、及び送受信装置６と無線で通信を行う無線ＬＡＮ機器等が搭載されている。
【００２８】
ユーザが所有するＩＣカード１１には、個人情報（氏名、年齢、性別、家族構成、趣味等）と共に、ネットワーク５を介して情報管理サーバ装置１から取得した商品情報や料理のレシピ食材情報等が記録される。
【００２９】
図２に示すように、情報管理サーバ装置１は、プログラムにしたがって所定の処理を実行する処理装置１０と、処理装置１０に対してコマンドや情報等を入力するための入力装置２０と、処理装置１０の処理結果をモニタするための出力装置３０とを有する構成である。
【００３０】
処理装置１０は、ＣＰＵ１１と、ＣＰＵ１１の処理で必要な情報を一時的に記憶する主記憶装置１２と、ＣＰＵ１１に後述する本発明の情報提供方法の処理を実行させるためのプログラムが記録された記録媒体１３と、商品の製造メーカから提供された商品情報、及びユーザ毎のユーザＩＤやパスワード等を含む会員情報が蓄積されるデータ蓄積装置１４と、主記憶装置１２、記録媒体１３、及びデータ蓄積装置１４とのデータ転送を制御するメモリ制御インタフェース部１５と、入力装置２０及び出力装置３０とのインタフェース装置であるＩ／Ｏインタフェース部１６と、ネットワーク５を介した通信を制御するインタフェースである通信制御装置１７とを備え、それらがバス１８を介して接続された構成である。
【００３１】
処理装置１０は、記録媒体１３に記録されたプログラムにしたがって以下に記載する情報提供サービス処理を実行する。なお、記録媒体１３は、磁気ディスク、半導体メモリ、光ディスクあるいはその他の記録媒体であってもよい。
【００３２】
商品管理サーバ装置２、決済サーバ装置３、ユーザ端末装置４及びショッピングカート７が備えた情報処理端末装置は、記録媒体１３及びデータ蓄積装置１４に記録されるプログラムやデータが異なることを除けば情報管理サーバ装置１と同様の構成であるため、その構成の説明は省略する。
【００３３】
このような構成において、次に本発明の情報提供方法の手順について図面を用いて説明する。
【００３４】
図３は本発明の情報提供方法の処理手順を示すシーケンス図である。
【００３５】
なお、情報を提供するサービス提供会社は、予め製造メーカ等からバーコード情報を含む商品情報の提供を受け、自社で管理する情報管理サーバ装置１に登録しておく。これらの情報は各メーカから有料で購入してもよく、随時ネットワーク５を経由して収集・更新し、最新の状態を維持する。
【００３６】
また、サービス提供会社は、予めス−パーマーケット等の販売店と、上記商品情報を提供する旨の契約を締結する。さらに、販売店が独自に加工・採番している商品（例えば、加工食品であるサラダ、佃煮など）について、そのバーコード情報や商品情報を販売店に設置された商品管理サーバ装置２に登録してもらう。
【００３７】
商品管理サーバ装置２に登録された商品情報と情報管理サーバ装置１に登録された商品情報とは、同一の検索エンジンで検索できるようにリンクを設定する。その際、検索に対するレスポンスの悪化を防止するため、情報管理サーバ装置１の情報を販売店内に設置されたプロキシサーバ装置に登録してもよい。
【００３８】
ユーザ（消費者）は、予めサービス提供会社へ会員登録し、ユーザＩＤやパスワード等を情報管理サーバ装置１へ登録しておく。また、サービス提供会社と決済契約した銀行に口座を設け、該銀行口座に商品の購入に必要な額の預金がされているものとする。
【００３９】
図３に示すように、ユーザがユーザ端末装置４によりネットワーク５を介して情報管理サーバ装置１へアクセスすると、情報管理サーバ装置１はアクセスしたユーザが予め登録されたユーザであるか否かを確認するためにユーザＩＤやパスワード等を送信させるための認証画面データを返送する。
【００４０】
ユーザが認証画面にしたがってユーザＩＤやパスワードを情報管理サーバ装置１へ送信すると、情報管理サーバ装置１は受信したユーザＩＤやパスワードを用いてアクセスしたユーザ端末装置４を認証し、アクセスしたユーザが会員であることを確認すると（認証ＯＫ）、ＩＣカードに登録する情報を選択するための選択メニュー画面データを返送する。
【００４１】
ユーザは、ユーザ端末装置４に表示された選択メニュー画面にしたがって自分の購入したい商品やアレルギー食材の種類、調理予定の料理などを選択し（商品選択）、情報管理サーバ装置１へ送信する。
【００４２】
情報管理サーバ装置１は、ユーザ端末装置４から受信した情報に基づいてデータ蓄積装置１４を検索し、ユーザの希望する商品の商品名やバーコード情報、料理のレシピや必要な食材を含むレシピ情報等（登録情報）を読み出してユーザ端末装置４へ返送する。
【００４３】
ユーザは、ユーザ端末装置４に表示された情報を確認し、ＩＣカードリーダライタ１０用いてＩＣカード１１へ登録する。この情報には、商品名やバーコード情報が含まれているものとする。
【００４４】
また、ユーザは、ユーザ端末装置４に表示された選択メニュー画面のしたがってサービス提供会社と決済契約した銀行が管理するサーバ装置にアクセスし、所定の口座から電子マネーの形態で預金を引き落とし、ＩＣカード１１へ登録する。
【００４５】
次に、ユーザが販売店へ来店し、ショッピングカート７に搭載されたＩＣカードリーダに情報を登録した自分のＩＣカード１１を挿入すると、ショッピングカート７に搭載された情報処理端末装置は、液晶表示装置にスタートメニューやスクリーンセーバー画面を表示すると共に、特売商品や推奨商品等を表示させる。なお、これらの商品情報はショッピングカート７に搭載されたイヤホンジャックを用いて音声でユーザに案内してもよい。
【００４６】
続いて、ユーザが陳列された商品の中から気に入った商品を取り、ショッピングカート７に搭載されたバーコードリーダを用いて商品に貼付されたバーコードを読み込ませると、ショッピングカート７に搭載された情報処理端末装置は、読み取ったバーコード情報に基づいて販売店に設置された商品管理サーバ装置２、あるいは情報管理サーバ装置１にアクセスし、バーコード情報から食材情報や産地情報等の商品情報を検索し、ショッピングカート７に搭載された液晶表示装置に表示する。ユーザは、この表示画面を見て購入予定の商品であるか否かを確認する。
【００４７】
また、このとき、情報処理端末装置は、例えば、ユーザが購入しようとしている商品に、予めＩＣカード１１に登録された登録情報としてアレルギー食材の種類等が含まれている場合は、”アレルギー食材（＊＊＊＊）使用”などの警告メッセージを表示する。また、予めＩＣカード１１に登録されたレシピ情報をチェックし、登録された食材と照合して買い忘れの食材を表示する。
【００４８】
そして、ユーザがショッピングカートに搭載された液晶表示装置に表示された、「購入ボタン」を押すと、情報処理端末装置はＩＣカード１１に登録された電子マネーを引き落とし、販売店に設置された決済サーバ装置３に送受信装置６を介して送信し、決済サーバ装置３に該決済情報を登録する。
【００４９】
次に、ユーザが商品の購入を終了し、販売店の精算所でＩＣカード１１をショッピングカート７から抜き取り、係りの店員に渡すと、販売店の係員は精算所に設置されたＰＯＳ（ｐｏｉｎｔ　ｏｆ　ｓａｌｅ　ｓｙｓｔｅｍ）端末装置のＩＣカードリーダにユーザから渡されたＩＣカード１１を挿入し、ＰＯＳ端末装置に表示された画面の指示にしたがって決済サーバ装置３にアクセスし、ユーザが購入した各商品が既に電子マネーで決済されているか否かをチェックする。ここでは基本的に支払い処理は行わないが、もし決済が済んでいない商品があった場合はＰＯＳ端末装置を利用して決済する。決済の確認が終了したら、ＩＣカード１１はユーザに返却する。
【００５０】
したがって、本発明の情報提供システム及び方法によれば、消費者（ユーザ）は、実際に商品を購入する前にその素材や品質を確認できるため、安心して商品を購入できる。また、購入したい商品を予めＩＣカードへ登録しておくため、購入予定の商品を記載したメモや商品情報を印刷した用紙を持参する必要が無くなり、商品の買い忘れや余分な商品を重複して購入することも無くなる。また、販売店の特売情報や推奨商品がショッピングカートに表示されるため、同種の商品をより安価に取得できる。また、電子マネーで決済し、かつ販売店の精算所で決済を確認するため、キャッシュレスによる不安を解消できる。
【００５１】
さらに、サービス提供会社に会員登録しておけば、サービス提供会社やそれと契約した販売店等から商品の値引き等の様々な特典を得ることができる。
【００５２】
一方、販売店は、例えば、ショッピングカート７に消費者本人のアレルギー食材の有無等が表示され、健康志向の消費者が安心して食材等を購入するため、集客力を高めることができる。また、当日の特売情報や推奨商品を素早くショッピングカートに表示できるため、これらの商品に対する消費者の認知が高まり、集客力や売上げの向上に貢献する。また、ユーザが所有するＩＣカード１１を自社の顧客カードとして併用すれば、ＦＲＭ（ｆｌｏｏｒ　ｒｅａｄｙ　ｍｅｒｃｈａｎｄｉｓｅ）分析や店内動線の解析に役立つ。また、ユーザがショッピングカートに表示された購入ボタンを押すことで商品を購入するため、製品の在庫管理システムやＥＯＳ（ｅｌｅｃｔｒｉｃ　ｏｒｄｅｒｉｎｇ　ｓｙｓｔｅｍ）と連携させることが可能であり、適正な発注が可能になる。さらに、精算所では決済の有無を確認するだけであるため、現金の取り扱い量が少なくなり、決済が正確に処理できる。
【００５３】
さらに、商品情報を提供するサービス提供会社は、同様の契約を複数の販売店と締結し、それらの契約販売店に対して、例えば、ナショナルブランド（メーカ製品）の商品情報の有料で提供する、電子決済データを複数の銀行・カード会社等に仲介するための手数料の取得する、あるいは顧客ＦＲＭ情報等の分析を代行して契約販売店に有料で提供する等を行うことで、ユーザの利便性を向上させつつ、収益を向上させることができる。
【００５４】
なお、上記説明では、ユーザ（消費者）が予めサービス提供会社に会員登録する場合を記載したが、ユーザは必ずしも会員登録する必要はなく、ＩＣカード５０及びＩＣカードリーダライタ４０を備えていれば、会員と同様の手順で商品を購入することが可能である。その場合、ユーザは、サービス提供会社が指定したクレジットカードを利用して電子マネーを引き落としＩＣカードへ登録すればよい。
【００５５】
【発明の効果】
本発明は以上説明したように構成されているので、以下に記載する効果を奏する。
【００５６】
ショッピングカートにより読み取られたバーコード情報に基づいてネットワークを介して対応する商品情報を情報管理サーバ装置から取得し、取得した商品情報を表示することで、ユーザは、実際に商品を購入する前にその素材や品質を確認できるため、安心して商品を購入できる。また、購入したい商品を予めＩＣカードへ登録しておくため、購入予定の商品を記載したメモや商品情報を印刷した用紙を持参する必要が無くなり、商品の買い忘れや余分な商品を重複して購入することも無くなる。
【００５７】
また、バーコード情報を読み取った商品の購入指示を受信すると、予めユーザがＩＣカードに登録した電子マネーにより電子決済を行い、さらに、電子決済の結果である決済情報を登録し、ユーザの商品購入終了時に、決済情報を確認のために表示することで、ユーザはキャッシュレスによる不安を解消できる。一方、販売店は、精算所で決済の有無を確認するだけで済むため、現金の取り扱い量が少なくなり、決済が正確に処理できる。
【００５８】
さらに、ショッピングカートで商品情報を受信すると、該商品情報の中から、予めユーザがＩＣカードに登録した所定の項目を選択して表示することで、例えば、ショッピングカートに消費者本人のアレルギー食材の有無等が表示され、健康志向のユーザは安心して食材等を購入することが可能であり、販売店は集客力を高めることができる。
【図面の簡単な説明】
【図１】本発明の情報提供システムの一構成例を示すブロック図である。
【図２】図１に示した情報管理サーバ装置の一構成例を示すブロック図である。
【図３】図３は本発明の情報提供方法の処理手順を示すシーケンス図である。
【符号の説明】
１　　情報管理サーバ装置
２　　商品管理サーバ装置
３　　決済サーバ装置
４　　ユーザ端末装置
５　　ネットワーク
６　　送受信装置
７　　ショッピングカート
８　　ＬＡＮ回線
１０　　処理装置
１１　　ＣＰＵ
１２　　主記憶装置
１３　　記録媒体
１４　　データ蓄積装置
１５　　メモリ制御インタフェース部
１６　　Ｉ／Ｏインタフェース部
１７　　通信制御装置
１８　　バス
２０　　入力装置
３０　　出力装置
４０　　ＩＣカードリーダライタ
５０　　ＩＣカード
【図１】
2004013670.tif 000003
【図２】
2004013670.tif 000004
【図３】
2004013670.tif 000005